(57)【要約】      （修正有）【課題】出力音声の品質を大幅に高め、スピーカーとしても、聴力障害者の補聴器としても使用できる、オーディオ信号伝送装置を提供する。【解決手段】本体１０、ダンパー１４、ボイスコイルボビン１５、伝導ユニット１６を含む。本体は、収容空間１０１とその内部に磁石１１を備え、上端域に正面と背面を備える延伸部１０２１を設け、背面に複数のワイヤ１３が接続された回路板１２が貼付される。ダンパーは材質を繊維布とし、延伸部の正面側に設置し、収容空間に連通する空洞部を備える。ボイスコイルボビンは収容空間内に設置され、その側面にワイヤの他端が貼付される。伝導ユニットは、ボイスコイルボビンの一端に取り付けられる。本装置を空箱体に貼付すれば、伝導ユニットの伝導部１６１が空箱体に振動共鳴を生じさせ音を発生させる。本装置を顔骨上に貼り付ければ、伝導部が皮膚及び骨組織を通してその振動を聴力障害者の耳に伝達し、外部の音声をはっきりと聞き取れるようになる。【選択図】図１
0003186148.tif 000002
【実用新案登録請求の範囲】
【請求項１】
本体、ダンパー、ボイスコイルボビン、伝導ユニットを含んで成るオーディオ信号伝送装置であって、
前記本体は、収容空間と上端域を備え、前記収容空間内に少なくとも１つの磁石が設置され、前記上端域には外側に向かって延伸された延伸部が設けられ、前記延伸部が正面と背面を備え、複数のワイヤが接続された少なくとも１つの回路板が前記背面に貼付され、
前記ダンパーは、前記延伸部の正面側に設置され、前記収容空間に連通する空洞部が形成され、その材質が繊維布であり、
前記ボイスコイルボビンは、前記収容空間内に設置され、前記収容空間及び空洞部に連通する収容孔を備え、前記ボイスコイルボビンの側面に前記回路板に接続された前記ワイヤの他端が貼設され、
前記伝導ユニットは、前記ボイスコイルボビンの一端に取り付けられ、前記収容孔に連通する貫通孔を備え、前記伝導ユニットはさらに伝導部と、複数のスリットが形成された固定部を備え、前記固定部が前記ボイスコイルボビンの一端に取り付けられる、
ことを特徴とする、オーディオ信号伝送装置。
【請求項２】
前記複数のワイヤが正極ワイヤと負極ワイヤであることを特徴とする、請求項１に記載のオーディオ信号伝送装置。
【請求項３】
前記繊維布が、綿、シルク、ポリエステル繊維、麻、芳香族ポリエステル繊維及び弾性布のうちから選ばれた少なくとも１種を編織して成ることを特徴とする、請求項１に記載のオーディオ信号伝送装置。
【請求項４】
前記ダンパーが複数の波状を呈する環状部を備え、前記延伸部の正面上に設置されたことを特徴とする、請求項１に記載のオーディオ信号伝送装置。
【請求項５】
前記本体及び前記延伸部が、前記ワイヤを通して前記ボイスコイルボビン振動させ、磁場反応を発生し、音波と振動で前記伝導ユニットを振動させることを特徴とする、請求項１に記載のオーディオ信号伝送装置。
【請求項６】
前記伝導ユニットの伝導部を空箱体上に貼付し、前記空箱体に振動共鳴を生じさせて音を発生させることを特徴とする、請求項５に記載のオーディオ信号伝送装置。
【請求項７】
前記オーディオ信号伝送装置を聴力障害者の顔骨上に貼設し、発生する振動を顔の皮膚及び骨組織を通して前記聴力障害者の耳の蝸牛内に伝達し、さらに聴神経まで伝達させて音声信号の伝送を達成することを特徴とする、請求項１に記載のオーディオ信号伝送装置。
【考案の詳細な説明】
【技術分野】
【０００１】
本考案はオーディオ信号伝送装置に関し、特に、小型軽量で携帯に便利であり、出力する音声品質を大幅に高めることができるだけでなく、聴力障害者を補助するための補聴器、或は骨伝導ヘッドフォンとしても用いることができる、オーディオ信号伝送装置に関する。
【背景技術】
【０００２】
社会の進歩に伴い、現代人の生活のストレスは日増しに増加しており、生活の中でゆとりを感じる楽しみが身心の疲労を軽減する主な手段となっている。多くの人が音楽を聞いて聴覚を楽しませることで、リラックスの必要性を満たしている。
【０００３】
一般的なスピーカーにおける音の発生手段は、主に磁石、ボイスコイルボビン、ダンパーから構成され、その物理的原理は、電流がコイルを通過すると電磁場が発生し、ボイスコイルボビンとダンパーが一緒に振動して周囲の空気を振動させ、瞬間的な波形のリズムが音波を形成して、その音の周波数が空気振動により人の耳に伝送され、鼓膜を介して音声に復元して人に聴かせるという目的を達するものであり、電気エネルギーから音エネルギーへの転換が実現されることによる。
【０００４】
人々が音楽を聴きたいとき、通常イヤホンを通して再生するが、イヤホンは耳に負担と疲労を引き起こしやすい。耳に負担をかけずに立体空間内で音楽を楽しみたいときは、通常スピーカーを選択するが、スピーカーは環境と場所の違いに合わせて配置し直したり、複雑な配線を行ったりする必要があり、また、体積が比較的大きいものは携帯上も負担となり、さらにはスピーカーの外型も現代人の重視する視覚的デザイン感を満足させることができない。このように、イヤホンまたはスピーカーのどちらも、それぞれに欠点があり、そのため、音楽と視覚のもたらす楽しみを享受・体験する気分でなくなる人々も多く、ストレスを解消できなくなることもあり得た。
【０００５】
このほか、現在市販されているスピーカーはいずれも特定の形式を有し、体積が大きすぎて携帯上不便であることが多く、スピーカー出荷後にその構造を変化させることもできない。さらに、スピーカーの外形とデザインを消費者が自ら変えることはできず、製造段階においても多くの手間がかかるものであった。
【０００６】
また、一般的なダンパーの材質は多くがプラスチックまたはその他高分子材料から製造されており、ダンパーの断面を見ると、その構造は多くが波型構造となっている。しかしながら、プラスチックまたはその他高分子材料を利用して製造されたダンパーは、全体の重量が比較的重いだけでなく、前記ボイスコイルボビンの線形振動時に発生する慣性歪みの問題を改善する必要があり、装置全体から出力される音声品質も相対的に劣るものであった。
【０００７】
以上のように、従来のスピーカーには次のような欠点がある。
１.携帯に非常に不便である。
２.プラスチック等の高分子材料で製造されるダンパーの出力する音声の品質がよくない。
【０００８】
このため、上述の従来品の問題と欠点をいかに解決し、改善するかが、本考案の考案者及び当業者の研究の方向性である。
【考案の概要】
【考案が解決しようとする課題】
【０００９】
上述の問題を効果的に解決するため、本考案の第一の目的は、全体の重量を大幅に減少させ、出力する音声品質を高めることができる、オーディオ信号伝送装置を提供することにある。
本考案の第二の目的は、本考案の装置を任意の空箱体上に貼付して、その振動により空箱体そのものにスピーカーの効果を生じさせることのできる、オーディオ信号伝送装置を提供することにある。
本考案の第三の目的は、補聴器、或は骨伝導ヘッドフォンとして使用し、聴力障害者に音声をはっきりと聞かせることができる、オーディオ信号伝送装置を提供することにある。
本考案の第四の目的は、携帯性が高く、かつ高度な利便性を備えたオーディオ信号伝送装置を提供することにある。
【課題を解決するための手段】
【００１０】
上述の目的を達するため、請求項１に係る本考案のオーディオ信号伝送装置は、本体、ダンパー、ボイスコイルボビン、伝導ユニットを含んで成るオーディオ信号伝送装置であって、前記本体は、収容空間と上端域を備え、前記収容空間内に少なくとも１つの磁石が設置され、前記上端域には外側に向かって延伸された延伸部が設けられ、前記延伸部が正面と背面を備え、複数のワイヤが接続された少なくとも１つの回路板が前記背面に貼付され、前記ダンパーは、前記延伸部の正面側に設置され、前記収容空間に連通する空洞部が形成され、その材質が繊維布であり、前記ボイスコイルボビンは、前記収容空間内に設置され、前記収容空間及び空洞部に連通する収容孔を備え、前記ボイスコイルボビンの側面に前記回路板に接続された前記ワイヤの他端が貼設され、前記伝導ユニットは、前記ボイスコイルボビンの一端に取り付けられ、前記収容孔に連通する貫通孔を備え、前記伝導ユニットはさらに伝導部と、複数のスリットが形成された固定部を備え、前記固定部が前記ボイスコイルボビンの一端に取り付けられる、ことを特徴とするものである。
【００１１】
上述の目的を達するため、請求項２に係る本考案のオーディオ信号伝送装置は、前記複数のワイヤが正極ワイヤと負極ワイヤであることを特徴とするものである。
【００１２】
上述の目的を達するため、請求項３に係る本考案のオーディオ信号伝送装置は、前記繊維布が、綿、シルク、ポリエステル繊維、麻、芳香族ポリエステル繊維及び弾性布のうちから選ばれた少なくとも１種を編織して成ることを特徴とするものである。
【００１３】
上述の目的を達するため、請求項４に係る本考案のオーディオ信号伝送装置は、前記ダンパーが複数の波状を呈する環状部を備え、前記延伸部の正面上に設置されたことを特徴とするものである。
【００１４】
上述の目的を達するため、請求項５に係る本考案のオーディオ信号伝送装置は、前記本体及び前記延伸部が、前記ワイヤを通して前記ボイスコイルボビン振動させ、磁場反応を発生し、音波と振動で前記伝導ユニットを振動させることを特徴とするものである。
【００１５】
上述の目的を達するため、請求項６に係る本考案のオーディオ信号伝送装置は、前記伝導ユニットの伝導部を空箱体上に貼付し、前記空箱体に振動共鳴を生じさせて音を発生させることを特徴とするものである。
【００１６】
上述の目的を達するため、請求項７に係る本考案のオーディオ信号伝送装置は、前記オーディオ信号伝送装置を聴力障害者の顔骨上に貼設し、発生する振動を顔の皮膚及び骨組織を通して前記聴力障害者の耳の蝸牛内に伝達し、さらに聴神経まで伝達させて音声信号の伝送を達成することを特徴とするものである。
【考案の効果】
【００１７】
本考案は、上記の如き構造設計を有し、前記ダンパーが繊維布で成るため、全体の重量を減少でき、良好な耐疲労度を備えているほか、ボイスコイルボビンの線形振動時に発生する慣性歪みを効果的に低減させ、さらに、オーディオ信号伝送装置全体の歪みを減少させ、装置全体が出力する音声品質を大幅に高めることができる。
【００１８】
このほか、本考案のオーディオ信号伝送装置は、これを任意の空箱体上に貼付して、その振動により空箱体そのものにスピーカーの効果を発生させることができ、かつ体積が小さいため非常に便利に携帯することができる。
【００１９】
また、本考案のオーディオ信号伝送装置のもう１つの利点は、聴力障害者が使用できることにあり、聴力障害者は前記オーディオ信号伝送装置を顔骨上に貼設するか、或は骨伝導ヘッドフォンとして使用すると、オーディオ信号伝送装置が発生する振動が顔の皮膚及び骨組織を通して聴力障害者の耳の蝸牛構造内に伝達され、続いて蝸牛が受け取った振動を聴神経に伝達し、聴覚を発生させることにより聴力障害者が音声信号の内容を享受し、外部の音声をはっきりと聞き取ることができるので、聴力障害者を補助する補聴器として前記オーディオ信号伝送装置を有効に使用することができる。
【図面の簡単な説明】
【００２０】
【図１】本考案のオーディオ信号伝送装置の実施例１の立体分解図である。
【図２】本考案のオーディオ信号伝送装置の実施例１の立体外観図である。
【図３】本考案のオーディオ信号伝送装置の実施例１を別の方向から見た立体外観図である。
【図４】本考案のオーディオ信号伝送装置の実施例１の使用態様を示す図である。
【図５】本考案のオーディオ信号伝送装置の実施例２の使用態様を示す図である。
【考案を実施するための形態】
【００２１】
本考案の上述の目的及びその構造と機能上の特徴について、図面に示した最良の実施例に基づき、以下に説明する。尚、以下の説明では、オーディオ信号伝送装置単体、或はオーディオ信号伝送装置を空箱に貼着させた使用例、骨伝導補聴器として用いた場合の原理的説明などを行うが、本考案に係るオーディオ信号伝達装置は、さらに健常者用のヘッドフォン、イヤパッド、聴力障碍者用の骨伝導ヘッドフォンなどの収容ケース内或いは専用容器内に単体として組み込まれて用いることができるものである。
【実施例１】
【００２２】
図１、図２、図３に本考案のオーディオ信号伝送装置単体の実施例１の立体分解図と立体外観図をそれぞれ示す。これらの図に示すように、オーディオ信号伝送装置１は、本体１０、ダンパー１４、ボイスコイルボビン１５、伝導ユニット１６を含む。前記本体１０は収容空間１０１と上端域１０２を備え、前記収容空間１０１内に少なくとも１つの磁石１１が設置され、前記上端域１０２には、外側に向かって延伸された延伸部１０２１が設けられ、前記延伸部１０２１は正面１０２１ａと背面１０２１ｂを備え、複数のワイヤ１３が接続された少なくとも１つの回路板１２が前記背面１０２１ｂに貼付され、前記ワイヤ１３は正極ワイヤ１３１と負極ワイヤ１３２とから構成される。
【００２３】
前記ダンパー１４は、前記延伸部１０２１の正面１０２１ａ側に設置され、複数の環状部１４１が形成されており、前記ダンパー１４の断面を見ると、波型の構造形態を呈し、前記延伸部１０２１の正面１０２１ａ上に設置されている。前記ダンパー１４には前記収容空間１０１に連通する空洞部１４２が形成され、前記ダンパー１４の材質は繊維布から成り、この場合、前記繊維布は、綿、シルク、ポリエステル繊維、麻、芳香族ポリエステル繊維及び弾性布のうちから選ばれた少なくとも１種を編織して成るものである。
【００２４】
前記ボイスコイルボビン１５は前記収容空間１０１内に設置され、前記収容空間１０１及び空洞部１４２に連通する収容孔１５１を備え、前記ボイスコイルボビン１５の側面に前記回路板１２に接続された前記ワイヤ１３の他端が貼設される。
【００２５】
前記伝導ユニット１６は前記ボイスコイルボビン１５の一端に取り付けられ、前記収容孔１５１に連通する貫通孔１６３を備え、前記伝導ユニット１６はさらに伝導部１６１と、複数のスリット１６２１が形成された固定部１６２を備え、前記固定部１６２が前記ボイスコイルボビン１５の一端に取り付けられる。
【００２６】
図４と図１を併せて参照する。図４は、図１〜図３に示した本考案のオーディオ信号伝送装置の実施例１に係る使用態様を示す図である。この図に示すように、本考案の前記のような構造設計により、使用者は前記オーディオ信号伝送装置１を空箱体１７上に貼付することができ、このとき前記回路板１２から前記ワイヤ１３を通して供給される電気信号により、前記ボイスコイルボビン１５を前記磁石１１による磁場内で振動させ、これにより前記本体１０及び延伸部１０２１に対して前記伝導ユニット１６を振動させ、このとき前記伝導ユニット１６の伝導部１６１が前記空箱体１７に振動共鳴を生じさせて音を発生させることができる。
【００２７】
このほか、本考案においては、ダンパー１４が繊維布を用いて成るため、従来のプラスチックやその他高分子材料を利用して成るダンパーの材質と比較して全体の重量を大幅に減少でき、かつ良好な耐疲労度を備えているほか、前記ボイスコイルボビン１５の線形振動時に発生する慣性歪みを効果的に減少させ、オーディオ信号伝送装置１の歪みの問題を軽減し、装置全体が出力する音声品質を大幅に高めることができる。
【実施例２】
【００２８】
図５と図１を併せて参照する。図５は本考案のオーディオ信号伝送装置の実施例２に係る使用態様を示す図である。ここでの前記オーディオ信号伝送装置の部品と各部品間の相互対応関係は前記のオーディオ信号伝送装置と同じであるため、ここでは説明を省略するが、このオーディオ信号伝送装置の最も大きな違いは、このオーディオ信号伝送装置１が聴力障害者の使用に供することができる点である。使用時、聴力障害者は前記オーディオ信号伝送装置１を顔骨上に貼り付けるだけでよく、このとき前記オーディオ信号伝送装置１の前記回路板１２から前記ワイヤ１３を通して供給される電気信号により、前記ボイスコイルボビン１５を振動させ、本体１０及び延伸部１０２１に対して前記伝導ユニット１６を振動させる。これによって、前記伝導ユニット１６の伝導部１６１が顔の皮膚及び骨組織を通してその振動を聴力障害者の耳１８の蝸牛１８１構造内に伝達し、蝸牛１８１が振動を受け取った後、最後に聴神経１８２に伝達して聴覚を発生させることにより、聴力障害者が健常者と同じように音声信号の内容を享受し、外部の音声をはっきりと聞き取れるようにすることができるので、日常生活に不自由な影響を与えることなく、聴力障害者を補助する補聴器として本考案のオーディオ信号伝送装置１を使用することができる。したがって、従来の補聴器の構造では、聴力障害者の耳に掛けたり、しっかりと耳の穴の中に挿入したりする必要があるため、聴力障害者の耳に大きな負担をかけ、不快感を与える状況にあった問題を、本考案によって解決することができる。
【００２９】
以上、本考案について詳細に説明したが、以上の説明は本考案の最良の実施例に基づくものであり、本考案の実施の範囲を限定するものではない。本願の実用新案登録請求の範囲と均等範囲内における用語等の変化や修飾等はすべて、本考案の権利範囲内に含まれる。
【産業上の利用可能性】
【００３０】
以上詳細に説明したように、本考案は従来のものと比較して、軽量且つ小型で便利に携帯でき、出力する音声の品質を大幅に高め、それ自身を単体、或は空箱に設置したスピーカー、さらには健常者のヘッドフォン、イヤ―パッドなどに用いることができるオーディオ信号伝送装置として好適に用いられるほか、補聴器、或は骨伝導ヘッドフォンとしても用いることができるものである。
【符号の説明】
【００３１】
１          オーディオ信号伝送装置
１０        本体
１０１      収容空間
１０２      上端域
１０２１    延伸部
１０２１ａ  正面
１０２１ｂ  背面
１１        磁石
１２        回路板
１３        ワイヤ
１３１      正極ワイヤ
１３２      負極ワイヤ
１４        ダンパー
１４１      環状部
１４２      空洞部
１５        ボイスコイルボビン
１５１      収容孔
１６        伝導ユニット
１６１      伝導部
１６２      固定部
１６２１    スリット
１６３      貫通孔
１７        空箱体
１８        耳
１８１      蝸牛
１８２      聴神経
【図１】
0003186148.tif 000003
【図２】
0003186148.tif 000004
【図３】
0003186148.tif 000005
【図４】
0003186148.tif 000006
【図５】
0003186148.tif 000007